(57)【要約】【課題】  設定されたキーワードをデータ放送に含むデジタルテレビ放送を受信すると、所定の報知を行うことができる電子機器を提供する。【解決手段】  ＴＶ部５０から受信されたＣＨ／キーワードデータ３０２に記憶されたチャンネルに対応するデジタルテレビ放送を受信する。そして、デジタルテレビ放送に含まれるデータ放送に、ＣＨ／キーワードデータ３０２に記憶されたキーワードが含まれているとＣＰＵ１０が検知すると、報知音発生プログラム２０６が実行されて、外部スピーカ９８等から報知音を発生させる。【選択図】図２
2005175921.tif 000002
【特許請求の範囲】
【請求項１】
デジタルテレビ放送を受信可能な電子機器において、
キーワードを設定する設定手段と、
前記デジタルテレビ放送に含まれるデータ放送のデータに、前記設定手段により設定されたキーワードが含まれているか否かを判定する判定手段と、
この判定手段により含まれると判定された場合に所定の報知を行う制御をする報知制御手段と、
を備えることを特徴とする電子機器。
【請求項２】
受信した前記デジタルテレビ放送に含まれる番組情報を表示する制御を行う番組情報表示制御手段を更に備え、
前記設定手段は、前記表示制御された番組情報に含まれる文字列を選択することでキーワードを設定する選択設定手段を有する、
ことを特徴とする請求項１に記載の電子機器。
【請求項３】
音楽データを再生して出力する音楽出力手段を更に備え、
前記報知制御手段は、前記判定手段により含まれていると判定された場合、前記音楽出力手段の出力を停止させて、前記所定の報知を行う制御をする手段である、
ことを特徴とする請求項１又は２に記載の電子機器。
【請求項４】
前記報知制御手段は、前記所定の報知として前記デジタルテレビ放送の音声を出力する音声出力手段を有することを特徴とする請求項１〜３の何れか一項に記載の電子機器。
【請求項５】
デジタルテレビ放送を受信可能なコンピュータに、
キーワードを設定する設定機能と、
前記デジタルテレビ放送に含まれるデータ放送のデータに、前記設定機能により設定されたキーワードが含まれているか否かを判定する判定機能と、
この判定機能により含まれると判定された場合に所定の報知を行う制御をする報知制御機能と、
を実現させるためのプログラム。
【発明の詳細な説明】
【技術分野】
【０００１】
本発明は、デジタルテレビ放送を受信可能な電子機器及びプログラムに関する。
【背景技術】
【０００２】
従来から、携帯用（ポータブル）テレビ（以下、テレビのことを「ＴＶ」という。）等の電子機器が知られている。携帯用ＴＶは、家庭等で利用される据え置き型ＴＶとは異なり、外出先等でＴＶを視聴することができる。
【０００３】
現在、地上波アナログ放送にかわり地上波デジタル放送への移行段階にある。地上波デジタル放送は、従来の地上波アナログ放送と異なり、変調方式としてＯＦＤＭ（Orthogonal Frequency Division Multiplexing：直交周波数分割多重方式）を利用することにより、複数の信号（電波）を多重化して送受信することができる。
【０００４】
ここで、変調方式として利用されるＯＦＤＭは、複数の信号を多重化できるだけではなく、建物の反射波により発生する多重像妨害（ゴースト）等に強く、移動受信時の遅延波による妨害に強いという特徴を持つ。従って、従来の地上波アナログ放送用テレビに比べて優れた映像を受像することが可能となる。この地上波デジタル放送が２００３年１２月から開始されたこともあり、地上波デジタル放送用の家庭用ＴＶの他、携帯用ＴＶや自動車用ＴＶ等の開発が行われている。また、携帯電話においても地上波デジタル放送の受信機能を内蔵したものが開発されつつある（例えば、特許文献１参照）。
【特許文献１】特開２００３−１５３１１１号公報
【発明の開示】
【発明が解決しようとする課題】
【０００５】
しかし、携帯用ＴＶ及び携帯電話内蔵型ＴＶは、家庭の据え置き型ＴＶとは異なり、外出先で視聴する機会が多くなることは勿論である。例えば、電車で移動中や人との待ち合わせの合間の時間などに短時間に視聴する機会が多い。従って、据え置き型ＴＶのように、一つの放送（番組）をある程度まとまった時間連続して視聴するより、短い時間の視聴を繰り返すこととなる。すると、ＴＶを視聴していないときに、ユーザが所望する歌を聞き逃したり、所望する野球選手の打席を見逃してしまうなどの不都合が生じていた。
【０００６】
さらに、携帯電話には、電話機能の他に、メール機能、インターネットのブラウザ機能又は音楽再生機能等の各種機能が内蔵されている。従って、ユーザはＴＶ以外の機能を使用する場面も多く、所望する番組内容以外のときは、好きな音楽を聴いたり、メールを送信する等の他の機能を利用したい要望がある。しかし、他の機能を利用してしまうと、所望する番組を見逃してしまう可能性が高くなり、ＴＶを視聴中に他の機能を気軽に利用するということができなかった。
【０００７】
従って、上記課題に鑑み、本発明は、ＴＶの映像が音声を出力していない場合であっても、設定されたキーワードをデータ放送に含むデジタルテレビ放送を受信すると、所定の報知を行うことができる電子機器を提供するものである。
【課題を解決するための手段】
【０００８】
以上の課題を解決するために、請求項１に記載の発明の電子機器は、
デジタルテレビ放送を受信可能な電子機器において、
キーワードを設定する設定手段（例えば、図２のＣＰＵ１０；図１０のステップＳ７２４）と、
前記デジタルテレビ放送に含まれるデータ放送のデータに、前記設定手段により設定されたキーワードが含まれているか否かを判定する判定手段（例えば、図２のＣＰＵ１０；図８のステップＳ５０２）と、
この判定手段により含まれると判定された場合に所定の報知を行う制御をする報知制御手段（例えば、図２のＣＰＵ１０；図８のステップＳ５０６）と、
を備えることを特徴とする。
【０００９】
また、請求項５に記載の発明のプログラムは、デジタルテレビ放送を受信可能なコンピュータに、
キーワードを設定する設定機能（例えば、図２のＣＰＵ１０；図１０のステップＳ７２４）と、
前記デジタルテレビ放送に含まれるデータ放送のデータに、前記設定機能により設定されたキーワードが含まれているか否かを判定する判定機能（例えば、図２のＣＰＵ１０；図８のステップＳ５０２）と、
この判定機能により含まれると判定された場合に所定の報知を行う制御をする報知制御機能（例えば、図２のＣＰＵ１０；図８のステップＳ５０６）と、
を実現させることを特徴とする。
【００１０】
請求項１又は５に記載の発明によれば、設定されたキーワードをデータ放送に含むデジタルテレビ放送を受信すると、所定の報知を行うことができる。従って、ユーザはＴＶを視聴していない場合であっても、所定の報知がなされることにより、ユーザは所望のＴＶ放送がなされたことを知ることができる。このため、ユーザは所望する歌を聞き逃したり、所望する野球選手の打席を見逃すといったことを回避できるようになる。
【００１１】
また、請求項２に記載の発明は、請求項１に記載の電子機器において、
受信した前記デジタルテレビ放送に含まれる番組情報を表示する制御を行う番組情報表示制御手段（例えば、図２のＣＰＵ１０；図１０のステップＳ７０４）を更に備え、
前記設定手段は、前記表示制御された番組情報に含まれる文字列を選択することでキーワードを設定する選択設定手段（例えば、図２のＣＰＵ１０；図１０のステップＳ７２０）を有する、
ことを特徴とする。
【００１２】
請求項２に記載の発明によれば、表示した番組情報の中から文字列を選択させることで、簡単にキーワードを設定することができる。
【００１３】
また、請求項３に記載の発明は、請求項１又は２に記載の電子機器において、
音楽データを再生して出力する音楽出力手段（例えば、図２のＣＰＵ１０；図７のステップＳ４０６）を更に備え、
前記報知制御手段は、前記判定手段により含まれていると判定された場合、前記音楽出力手段の出力を停止させて、前記所定の報知を行う制御をする手段（例えば、図２のＣＰＵ１０；図８のステップＳ５０６）である、
ことを特徴とする。
【００１４】
請求項３に記載の発明によれば、音楽データを再生している場合であっても、データ放送のデータにキーワードが含まれている場合には、音楽の再生を停止させて報知することができる。
【００１５】
また、請求項４に記載の発明は、請求項１〜３の何れか一項に記載の電子機器において、
前記報知制御手段は、前記所定の報知として前記デジタルテレビ放送の音声を出力する音声出力手段（例えば、図２のＣＰＵ１０；図８のステップＳ５１２）を有することを特徴とする。
【００１６】
請求項４に記載の発明によれば、データ放送のデータにキーワードが含まれていることの報知をデジタルテレビ放送の音声出力とすることができる。従って、キーワードが含まれている放送が受信されると、ユーザは、自動的にデジタルテレビ放送の音声を聴くことができる。
【発明の効果】
【００１７】
請求項１又は５に記載の発明によれば、設定されたキーワードをデータ放送に含むデジタルテレビ放送を受信すると、所定の報知を行うことができる。従って、ユーザはＴＶを視聴していない場合であっても、所定の報知がなされることにより、ユーザは所望のＴＶ放送がなされたことを知ることができる、このため、ユーザは所望する歌を聞き逃したり、所望する野球選手の打席を見逃すといったことを回避できるようになる。
【００１８】
請求項２に記載の発明によれば、表示した番組情報の中から文字列を選択させることで、簡単にキーワードを設定することができる。
【００１９】
請求項３に記載の発明によれば、音楽データを再生している場合であっても、データ放送のデータにキーワードが含まれている場合には、音楽の再生を停止させて報知することができる。
【００２０】
請求項４に記載の発明によれば、データ放送のデータにキーワードが含まれていることの報知をデジタルテレビ放送の音声出力とすることができる。従って、キーワードが含まれている放送が受信されると、ユーザは、自動的にデジタルテレビ放送の音声を聴くことができる。
【発明を実施するための最良の形態】
【００２１】
以下、デジタルＴＶ放送を受信する受信装置を内蔵した折り畳み型の携帯電話に本発明を適用した場合の実施の形態について図面を参照して詳細に説明する。但し、本発明が適用可能なものはこれに限定されるものではない。
【００２２】
［１．全体構成］
図１は、折り畳み型の携帯電話１の概観図である。携帯電話１には、ディスプレイ３と、入力スイッチ群５と、携帯用アンテナ４５と、ＴＶ用アンテナ５５と、折り畳みスイッチ７５と、突起部７７と、電話用スピーカ８０と、電話用マイク８５と、イヤホンジャック９０と、外部スピーカ９８とを備えて構成されている。
【００２３】
ここで、入力スイッチ群５には、数字スイッチ（ボタン）等の他に、機能設定スイッチ５ａと、ＴＶスイッチ５ｂと、カーソルスイッチ５ｃと、音楽再生スイッチ５ｄと、決定スイッチ５ｅと、オフフックスイッチ５ｆと、クリアスイッチ５ｇと、オンフックスイッチ５ｈとを有して構成されている。詳細は後述するが、それぞれのスイッチについて簡単に説明する。
【００２４】
機能設定スイッチ５ａは、ディスプレイ３に機能設定画面を表示するためのスイッチである。ユーザが、表示された機能一覧の中から項目を選択すると、選択した項目に対応する機能が実行される。ＴＶスイッチ５ｂは、携帯電話に内蔵されているＴＶ機能を実行するためのスイッチである。カーソルスイッチ５ｃは、上下左右の４方向の入力を検知可能なスイッチである。音楽再生スイッチ５ｄは、音楽を再生させる機能である音楽再生処理を呼び出し、実行する為のスイッチである。決定スイッチ５ｅは、ユーザにより選択された項目等の選択が決定されるスイッチである。オフフックスイッチ５ｆは、電話回線に接続するためのスイッチである。クリアスイッチ５ｇは、選択した項目、機能などを取り消すためのスイッチである。オンフックスイッチ５ｈは、電話回線を切断するためのスイッチである。
【００２５】
［１．１  携帯電話の構成］
ここで、携帯電話１について説明する。図２は、携帯電話１のブロック図である。同図に示すように、携帯電話１は、ＣＰＵ（Central Processing Unit）１０と、ＲＯＭ（Read Only Memory）２０と、ＲＡＭ（Random Access Memory）３０と、ＲＦ（Radio Frequency）ブロック４０と、携帯用アンテナ４５と、ＴＶ部５０と、表示部６０と、入力部７０と、折り畳みスイッチ７５と、電話用スピーカ８０と、電話用マイク８５と、イヤホンジャック９０と、接続検知部９５と、外部スピーカ９８とを備えて構成されている。
【００２６】
［１．２  記憶領域］
ＲＯＭ２０は、各種初期設定、ハードウェアの検査、あるいは必要なプログラムのロード等を行うための初期プログラムを格納する読み出し専用メモリである。ＣＰＵ１０は、携帯電話１の電源投入時においてこの初期プログラムを実行することにより、携帯電話１の動作環境を設定する。
【００２７】
また、ＲＯＭ２０は、メニュー表示処理、各種設定処理、各種通信処理等の携帯電話１の動作に係る各種プログラムや、携帯電話１の備える種々の機能を実現するためのプログラム等を格納すると共に、携帯操作プログラム２０４と、報知音発生プログラム２０６と、ＥＰＧ（Electronic Program Guide）表示プログラム２０８と、折り畳みスイッチＯＮプログラム２１０と、折り畳みスイッチＯＦＦプログラム２１２とを格納する。
【００２８】
音声データ２０２は、報知音発生処理において出力するための音声データを、記憶している領域である。具体的には、「きーわーどＸＸＸがけんしゅつされました」の音声データ（以下、「定型句の音声データ」という。）と、５０音や濁音等の文字一音ずつの音声データ（以下、「単音の音声データ」という。）とを記憶している。
【００２９】
ＲＡＭ３０は、ＣＰＵ１０が実行する各種プログラムや、これらのプログラムの実行にかかるデータ等を一時的に保持する随時書き込み可能なメモリである。本実施形態では、ＣＨ／キーワードデータ３０２と、ＥＰＧ格納領域３０４と、データ放送格納領域３０６と、ＴＶフラグ３０８との領域が確保されている。
【００３０】
さらに、ＲＡＭ３０には、音楽再生処理で再生される音楽データが記憶されている。ＣＰＵ１０は、ＲＡＭ３０に記憶された音楽データを読み出し、音楽再生処理を実行することにより音楽を出力する。ここで、音楽データは、音楽についての各種データ形式の何れであってもよく、例えばＭＰ３（MPEG Audio Layer-3）形式や、ＡＡＣ（Advanced Audio Coding）形式など挙げられる。
【００３１】
ＣＨ／キーワードデータ３０２は、ユーザにより選択された番組情報を設定・記憶している。図３は、ＣＨ／キーワードデータ３０２の一例を示した図である。図３に示すように、ＣＨ／キーワードデータ３０２は、チャンネル（例えば、「１ｃｈ」）と、キーワード（例えば、「特許花子」）とを設定・記憶している。
【００３２】
ＥＰＧ格納領域３０４は、ＴＶ部５０から受信されたデジタルテレビ放送に含まれるＥＰＧデータを記憶するための領域である。ＥＰＧデータとは、現在放送中又は放送する予定の番組に関する情報であり、チャンネル情報や、放送番組情報（開始時間、終了時間、番組タイトル、出演者、番組解説等）等が含まれている。ＥＰＧデータの詳細な内容及びデータ形式については、公知なものであるため省略する。
【００３３】
データ放送格納領域３０６は、デジタルテレビ放送に含まれるデータ放送のデータを記憶するための領域である。ＯＦＤＭ復調部５０ｂから抽出・分離されたデータ放送用の信号を、ＣＰＵ１０が復調し、データ放送格納領域３０６に記憶する。
【００３４】
ＴＶフラグ３０８は、ＣＨ／キーワードデータ３０２にチャンネル及びキーワードが記憶されているか否かを判定するためのフラグである。ここで、ＴＶフラグが「０」の場合には、ＣＨ／キーワードデータ３０２にはチャンネル及びキーワードが設定されておらず、ＴＶフラグが「１」の場合には、ＣＨ／キーワードデータ３０２にチャンネル及びキーワードが設定されていることを表している。
【００３５】
［１．３  ＣＰＵ］
ＣＰＵ１０は、入力される指示に応じて所定のプログラムに基づいた処理を実行し、各機能部への指示やデータの転送を行う中央演算装置である。具体的には、ＣＰＵ１０は、入力部７０から入力される操作信号に応じてＲＯＭ２０に格納されたプログラムを読み出し、当該プログラムに従って処理を実行する。そして、表示制御信号を適宜表示部６０に出力して、処理結果を表示させる。
【００３６】
また、ＣＰＵ１０は、音楽再生スイッチ５ｄが押下されると、音楽を再生する処理を実行する。具体的には、ＣＰＵ１０は、音楽再生スイッチ５ｄが押下されると、ＲＡＭ３０に記憶されている音楽データを読み出し、イヤホンジャック９０又は外部スピーカ９８に出力する。
【００３７】
また、ＣＰＵ１０の回路構成としては、ＤＳＰ（Digital Signal Processor）を内蔵するとしても良いし、ソフト的にＤＳＰとして機能することとしてもよい。ＤＳＰとは、デジタル信号処理用プロセッサのことであり、音声信号等を符号化したり、デジタルデータを復号して音声データを抽出する。
【００３８】
さらに、ＣＰＵ１０は、本実施形態において、ＲＯＭ２０の携帯操作プログラム２０４に従った、携帯操作処理（図４〜８参照）を実行すると共に、報知音発生プログラム２０６に従った報知音発生処理（図９参照）及びＥＰＧ表示プログラム２０８に従ったＥＰＧ表示処理（図１０及び図１１参照）をサブルーチンとして実行する。さらに、携帯電話１を折り畳んだ際に折り畳みスイッチＯＮプログラム２１０に従った折り畳みスイッチＯＮ処理（図１２（ａ））を割込処理として実行し、携帯電話１を展開した際に折り畳みスイッチＯＦＦプログラム２１２に従った折り畳みスイッチＯＦＦ処理（図１２（ｂ））を割込処理として実行する。
【００３９】
具体的には、ＣＰＵ１０は、携帯操作処理において、携帯電話１からの発信処理を実行すると共に、ＴＶ放送及びＥＰＧデータを受信する処理を実行する。さらに、ＣＰＵ１０は、機能設定画面から「ＥＰＧ」が選択されると、ＥＰＧ表示処理を実行し、ＣＨ／キーワードデータ３０２にチャンネル及びキーワードを設定・記憶する。そして、音楽再生スイッチ５ｄが押下されると、ＣＰＵ１０は、音楽再生処理を実行する。そして、ＣＨ／キーワードデータ３０２に設定されたチャンネルに対応するデータ放送中に、ＣＨ／キーワードデータ３０２に設定されたキーワードが含まれていた場合には、ＣＰＵ１０は、音楽再生処理を停止し、報知音を発生する。
【００４０】
また、ＣＰＵ１０は、報知音発生処理において、キーワードを音声合成処理してバッファに記憶すると共に、ＲＯＭに記憶されている定型句と合わせて報知音として出力する。
【００４１】
また、ＣＰＵ１０は、ＥＰＧ表示処理において、ＥＰＧ画面を表示部６０に表示する。そして、チャンネルとキーワードとをＣＨ／キーワードデータ３０２に設定・記憶する。
【００４２】
また、ＣＰＵ１０は、携帯電話１が折り畳まれると、折り畳みスイッチＯＮ処理を割込実行して、イヤホンを使用しているか否かを判定する。そして、イヤホンを使用している場合は、ＣＰＵ１０は、映像復号部５０ｃの動作を停止し、イヤホンを使用していない場合には、ＴＶ部５０の動作を停止させる。そして、ＣＰＵ１０は、文字・映像等が表示されている表示部６０を消灯させる。
【００４３】
また、ＣＰＵ１０は、携帯電話１が展開されると、折り畳みスイッチＯＦＦ処理を割込実行して、イヤホンを使用しているか否かを判定する。そして、イヤホンを使用している場合は、ＣＰＵ１０は、映像復号部５０ｃの動作を開始し、イヤホンを使用していない場合には、ＴＶ部５０の動作を停止させる。そして、ＣＰＵ１０は、表示部６０を点灯して文字・映像などを表示させる。
【００４４】
［１．４  ＴＶ部］
ＴＶ部５０は、地上波デジタルＴＶ放送を受信するための回路ブロックである。ＴＶ部５０は、チューナー部５０ａと、ＯＦＤＭ復調部５０ｂと、映像復号部５０ｃと、音声復号部５０ｄと、ＴＶ用アンテナ５５とを備えて構成されている。
【００４５】
チューナー部５０ａは、ＴＶ用アンテナ５５と共に同調を図ることによって、ユーザにより指定されたチャンネルに対応する周波数の信号を受信し、ＯＦＤＭ復調部５０ｂに出力する回路部である。簡単に動作を説明すると、まず、ユーザにより放送局が選局されると、チューナー部５０ａは、選局された放送局のチャンネルに対応する周波数に同調することでＴＶ用アンテナ５５によって当該チャンネルに対応する信号を受信する。そして、受信した信号（ＯＦＤＭ変調信号）を、ＯＦＤＭ復調部５０ｂに出力する。
【００４６】
ＯＦＤＭ復調部５０ｂは、チューナー部５０ａから出力されたＯＦＤＭ変調信号を復調し、映像復号部５０ｃ及び音声復号部５０ｄ等に出力する回路部である。ＯＦＤＭ変調信号を復調する方法は公知であるが、簡単に説明すると、ＯＦＤＭ復調部５０ｂは、チューナー部５０ａから入力されたＯＦＤＭ変調信号をＡＤ（Analog to Digital）変換してデジタル信号に変換する。そして、変換されたデジタル信号に対し、同期処理、ＦＦＴ演算（Fast Fourier Transform）、誤り訂正処理を実行することによりＴＳ（Transport Stream：トランスポート・ストリーム）を抽出する。そして、抽出されたＴＳから映像信号、音声信号及びデータ信号を分離する。そして、分離された映像信号を映像復号部５０ｃに、音声信号を音声復号部５０ｄに、データ信号をＣＰＵ１０に出力する。ＣＰＵ１０は、データ信号から復調されたデータ放送を、データ放送格納領域３０６に記憶する。
【００４７】
映像復号部５０ｃは、入力された映像信号を復号し、表示部６０に出力する。また、音声復号部５０ｄは、入力された音声信号を復号し、イヤホンジャック９０又は外部スピーカ９８に出力する。ここで、映像信号又は音声信号はＭＰＥＧ（Moving Picture Experts Group）等の何れかの公知技術で符号化されており、符号化された方式に対応する復号方式で復号する。
【００４８】
イヤホンジャック９０は、音声復号部５０ｄから出力された音声信号を、接続されたイヤホンに出力する。ここで、イヤホンジャック９０は、接続検知部９５に監視されている。接続検知部９５は、イヤホンジャック９０にイヤホンが接続されたことを検知すると、イヤホンが接続されたことをＣＰＵ１０に出力する。
【００４９】
［１．５  電話部］
電話部は、本実施形態における携帯電話の送受信の機能を実現するための回路部であり、ＲＦブロック４０と、携帯用アンテナ４５と、電話用スピーカ８０と、電話用マイク８５を中心に構成されている。
【００５０】
ここで、ＲＦブロック４０は、携帯電話の信号を送受信するための回路部である。ＣＰＵ１０は、携帯用アンテナ４５で受信された携帯用信号を、ＲＦブロック４０で復調し、ＣＰＵ１０が音声信号を復号して、電話用スピーカ８０に出力する。また、ＣＰＵ１０は、電話用マイク８５から入力された音声信号を、ＣＰＵ１０が符号化して、ＲＦブロック４０において携帯用信号として変調し、携帯用アンテナ４５から送信する。ここで、携帯用信号とは、携帯電話１が音声信号や、データ信号を送受信するために使用する無線信号であり、無線信号の変復調方式としては、ＰＤＣ（Personal Digital Cellular）方式、ＣＤＭＡ（Code Division Multiple Access）方式、ＧＳＭ（Global System for Mobile communication ）方式等の各種公知技術の何れを利用することとしてもよい。
【００５１】
［１．６  表示部、入力部及び折り畳みスイッチ］
表示部６０は、ＣＰＵ１０から出力される表示信号に基づいて各種画面を表示したり、ＴＶ部５０から出力されるＴＶ映像を表示するものであり、ＬＣＤ（Liquid Crystal Display）等により構成される。なお、この表示部６０は、図１に示すディスプレイ３に相当する。
【００５２】
入力部７０は、数値や文字等の入力や、機能選択などに必要なスイッチ（ボタン）を備えた入力装置であり、押下されたスイッチの信号をＣＰＵ１０に出力する。この入力部７０におけるスイッチの入力により、処理の実行などを指示する制御命令の入力手段が実現される。なお、この入力部７０は、図１に示す入力スイッチ群５に相当するが、スイッチに限られる物ではなく、例えばタッチパネル等であっても実現可能である。
【００５３】
折り畳みスイッチ７５は、携帯電話１が展開状態であるか、折り畳み状態であるかを検知するためのスイッチである。携帯電話１が、折り畳み状態となると、図１の突起部７７が、折り畳みスイッチ７５を押圧することにより、折り畳み状態であることを検知する。また、携帯電話１が、折り畳み状態から展開状態になると、図１の突起部７７が、折り畳みスイッチ７５から離隔されることにより、展開状態であることを検知する。
【００５４】
［２．動作例］
［２．１  携帯操作処理］
まず、携帯操作処理について説明する。図４〜７は、携帯操作処理に係る携帯電話１の動作を説明するためのフローチャートである。この携帯操作処理は、ＣＰＵ１０が、ＲＯＭ２０に記憶された携帯操作プログラム２０４を実行することによって実現される処理である。
【００５５】
まず、携帯電話１の電源が投入されると、ＣＰＵ１０は、初期動作（イニシャライズ）を実行する（ステップＳ１００）。ここで、初期動作とは、内部メモリの初期化、携帯電話基地局からの初期情報の送受信等をいう。
【００５６】
つぎに、ＣＰＵ１０は、表示部６０に待受画面を表示する（ステップＳ１０２）。待受画面とは、ユーザからの入力を待機する画面であり、画像、時計、カレンダー等が表示される。
【００５７】
そして、ＣＰＵ１０は、オフフックスイッチ５ｆが押下されてＯＮの状態になったか否かを判定する（ステップＳ１０４）。それから、ＣＰＵ１０は、電話番号が入力スイッチ群５から入力されると（ステップＳ１０６）、入力された番号に基づいて発信を行う（ステップＳ１０８）。そして、ＣＰＵ１０は、呼出し処理を実行し（ステップＳ１１０）、接続が完了したか否かを判定する（ステップＳ１１２）。
【００５８】
そして、ＣＰＵ１０は、接続が完了したと判定すると（ステップＳ１１２；Ｙｅｓ）、通話処理を実行する（ステップＳ１１４）。通話処理が実行されている間に、オンフックスイッチ５ｈが押下されると（ステップＳ１１６；Ｙｅｓ）、ＣＰＵ１０は、終話処理を実行し（ステップＳ１１８）、図５のステップＳ２００に処理を移行する。
【００５９】
また、図４のステップＳ１０４において、オフフックスイッチ５ｆが押下されない場合も、ＣＰＵ１０は、同様に図５のステップＳ２００に処理を移行する。
【００６０】
続いて、ＣＰＵ１０は、ＴＶスイッチ５ｂがＯＮされたことを検知すると（ステップＳ２００；Ｙｅｓ）、ＴＶ部５０の電源をＯＮにする（ステップＳ２０２）。次に、ＣＰＵ１０は、ＴＶ部５０から受信された映像信号を表示部６０に表示する（ステップＳ２０４）。次に、イヤホンがイヤホンジャック９０に接続されているとき（ステップＳ２０６；Ｙｅｓ）、ＣＰＵ１０は、ＴＶ部５０から受信された音声信号を、イヤホンジャック９０を介してイヤホンに出力する（ステップＳ２０８）。他方、イヤホンがイヤホンジャック９０に接続されていないとき（ステップＳ２０６；Ｎｏ）、ＣＰＵ１０は、ＴＶ部５０から受信された音声信号を、外部スピーカ９８に出力する（ステップＳ２１０）。
【００６１】
次に、ＣＰＵ１０は、チャンネル変更操作が行われたか否かを判定する（ステップＳ２１２）。ここで、チャンネル変更操作が行われた場合には（ステップＳ２１２；Ｙｅｓ）、ＣＰＵ１０は、変更されたチャンネルを受信するように、チューナー部５０ａの受信周波数を変更する（ステップＳ２１４）。そして、ＴＶスイッチ５ｂが再押下されることでＯＦＦとされた場合には（ステップＳ２１６；Ｙｅｓ）、ＴＶ部５０の電源をＯＦＦにする（ステップＳ２１８）。また、ＴＶ部スイッチ５ｂが押下されない場合には（ステップＳ２１６；Ｎｏ）、ＣＰＵ１０は、ステップＳ２２０に処理を移行する（ステップＳ２１６）。
【００６２】
一方、チャンネル変更操作が行われなかった場合には（ステップＳ２１２；Ｎｏ）、ＥＰＧデータを受信したか否かを判定する（ステップＳ２２０）。ここで、ＥＰＧデータを受信した場合には（ステップＳ２２０；Ｙｅｓ）、ＣＰＵ１０は、ＥＰＧデータをＥＰＧ格納領域３０４に記憶する（ステップＳ２２２）。そして、ＣＰＵ１０は、ステップＳ２０４に処理を移行する。
【００６３】
続いて、機能設定スイッチ５ａが押下された場合には（ステップＳ３００；Ｙｅｓ）、ＣＰＵ１０は機能設定画面を表示し（ステップＳ３０２）、一つの項目にフォーカスを表示する（ステップＳ３０４）。また、機能設定スイッチ５ａが押下されていない場合には（ステップＳ３００；Ｎｏ）、ＣＰＵ１０は、ステップＳ４００に処理を移行する。
【００６４】
フォーカスを表示した後に、カーソルスイッチ５ｃが押下されると（ステップＳ３０６；Ｙｅｓ）、ＣＰＵ１０は、フォーカスを移動する（ステップＳ３０８）。さらに、ＣＰＵ１０は、決定スイッチ５ｅが押下されているか否かを判定する（ステップＳ３１０；Ｙｅｓ）。ここで、決定スイッチ５ｅが押下されずに、クリアスイッチ５ｇが押下された場合には（ステップＳ３１０；Ｎｏ→ステップＳ３１２；Ｙｅｓ）、ＣＰＵ１０は、ステップＳ１０２に処理を移行する。また、クリアスイッチ５ｇも押下されなかった場合には（ステップＳ３１２；Ｎｏ）、ＣＰＵ１０は、ステップＳ３０６に処理を戻す。
【００６５】
続いて、ＣＰＵ１０は、決定スイッチ５ｅが押下されたと判定したときは（ステップＳ３１０；Ｙｅｓ）、フォーカス位置がＥＰＧに有るか否かを判定する（ステップＳ３１４）。
【００６６】
ここで、フォーカス位置がＥＰＧである場合には（ステップＳ３１４；Ｙｅｓ）、ＣＰＵ１０は、ＥＰＧ表示処理を実行し（ステップＳ３１６）、ステップＳ３０２から処理を繰り返し実行する。また、フォーカスがその他の処理を指示する位置にある場合には（ステップＳ３１８；Ｙｅｓ）、フォーカス位置の処理を実行する（ステップＳ３２０）。そして、ＣＰＵ１０は、ステップＳ３０２からの処理を繰り返し実行する。
【００６７】
ここで、ステップＳ３００において、機能設定スイッチ５ａが押下されなかった場合には（ステップＳ３００；Ｎｏ）、ＣＰＵ１０は、ステップＳ４００に処理を移行する。
【００６８】
続いて、ＣＰＵ１０は、音楽再生スイッチ５ｄが押下されたか否かを判定する（ステップＳ４００）。ここで、音楽再生スイッチ５ｄが押下されていない場合には（ステップＳ４００；Ｎｏ）、ＣＰＵ１０はステップＳ１０２に処理を移行する。
【００６９】
一方、音楽再生スイッチ５ｄが押下された場合には（ステップＳ４００；Ｙｅｓ）、ＣＰＵ１０は、音楽再生処理を実行する（ステップＳ４０２）。そして、ＣＰＵ１０は、接続検知部９５による検知結果を判定する（ステップＳ４０４）。
【００７０】
ここで、接続検知部９５の検知結果により、イヤホンが接続されているとＣＰＵ１０が判定した場合（ステップＳ４０４；Ｙｅｓ）、音楽再生処理による再生音をイヤホンジャック９０にのみ出力する（ステップＳ４０６）。また、ＣＰＵ１０は、イヤホンがイヤホンジャック９０に接続されていないと判定した場合（ステップＳ４０４；Ｎｏ）、音楽再生処理による再生音を外部スピーカ９８に出力する（ステップＳ４０８）。
【００７１】
次に、ＣＰＵ１０は、音楽再生スイッチ５ｄがＯＦＦされたか否かを判定する（ステップＳ４０８）。ここで、音楽再生スイッチ５ｄがＯＦＦされた場合には（ステップＳ４０８；Ｙｅｓ）、ＣＰＵ１０は、音楽再生処理を停止し（ステップＳ４１０）、ステップＳ１０２に処理を移行する。
【００７２】
他方、音楽再生スイッチ５ｄが、ＯＦＦされなかった場合には（ステップＳ４０８；Ｎｏ）、ＴＶフラグの状態をＲＡＭ３０のＴＶフラグ３０８から読み出て判定する（ステップＳ４１２）。ここで、ＴＶフラグの値が「０」であれば、ＣＰＵ１０は、ステップＳ４０２から処理を繰り返し実行する。また、ＴＶフラグの値が「０」以外であれば、ＣＰＵ１０は、ステップＳ５００に処理を移行する。
【００７３】
続いて、ＣＰＵ１０は、受信されたデータ放送の中からＣＨ／キーワードデータ３０２に記憶されているキーワードを検索する（ステップＳ５００）。ここで、ＣＰＵ１０は、合致するキーワードが含まれていない場合には（ステップＳ５０２；Ｎｏ）、ステップＳ４０２に戻り処理を実行する。
【００７４】
そして、ＣＰＵ１０は、合致するキーワードが含まれていると判定した場合には（ステップＳ５０２；Ｙｅｓ）、音楽再生処理を停止する（ステップＳ５０４）。さらに、ＣＰＵ１０は、報知音発生処理を実行し（ステップＳ５０６）、受信された映像信号を表示部６０に表示する（ステップＳ５０８）。
【００７５】
次に、接続検知部９５の検知結果により、イヤホンが接続されているとＣＰＵ１０が判定した場合（ステップＳ５１０；Ｙｅｓ）、ＴＶ部５０から入力された音声信号を、イヤホンジャック９０にのみ出力する（ステップＳ５１２）。また、ＣＰＵ１０は、イヤホンがイヤホンジャック９０に接続されていないと判定した場合（ステップＳ５１０；Ｎｏ）、ＣＰＵ１０は、ＴＶ部５０から入力された音声信号を、外部スピーカ９８に出力する（ステップＳ５１４）。
【００７６】
次に、ＴＶスイッチ５ｂをＯＦＦにする操作がなされた場合には（ステップＳ５１６；Ｙｅｓ）、ＣＰＵ１０は、ステップＳ４０２に処理を移行する。他方、ＴＶスイッチ５ｂをＯＦＦにする操作がなされてなかった場合には（ステップＳ５１６；Ｎｏ）、ＣＰＵ１０は、ステップＳ５０６に処理を移行する。
【００７７】
［２．２  報知音発生処理］
次に、報知音発生処理について説明する。図９は、報知音発生処理に係る携帯電話１の動作を説明するためのフローチャートである。この報知音発生処理は、ＣＰＵ１０が、ＲＯＭ２０に記憶された報知音発生プログラム２０６を実行することによって実現される処理であり、携帯操作処理のステップＳ５０６で実行される。
【００７８】
まず、ＣＰＵ１０は、ＣＨ／キーワードデータ３０２から読み出されたキーワード１文字ずつの単音の音声データをつなげることで、キーワード全体の合成音声データを生成しバッファに記憶する（ステップＳ６００）。次に、ＣＰＵ１０は、音声データ２０２に記憶されている定型句の音声データを読み出す（ステップＳ６０２）。そして、読み出した定型句の音声データと、バッファに記憶された合成音声データに基づいて、ＣＰＵ１０は、音声出力を実行する（ステップＳ６０４）。
【００７９】
例えば、まずキーワード１文字ずつの単音の音声データをつなげることで合成音声データ「とっきょはなこ」を生成し、バッファに記憶する。続いて、音声データ２０２に記憶されている定型句の音声データ「きーわーどＸＸＸがけんしゅつされました」を読み出す。そして、定型句の音声データ「ＸＸＸ」の部分に、バッファに記憶されている合成音声データ「とっきょはなこ」を挿入し、「きーわーど、とっきょはなこ、がみつかりました」と音声出力を実行する。
【００８０】
なお、報知音発生処理における報知音としては、音声情報に基づいて出力することとして説明したが、これに限られる物ではなく、例えばブザー等の報知音としてもよい。また、音ではなく発光ランプなどによる光、バイブレーション機能などによる振動によって報知することとしても良いことは勿論である。
【００８１】
［２．３  ＥＰＧ表示処理］
次に、ＥＰＧ表示処理について説明する。図１０及び図１１は、ＥＰＧ表示処理に係る携帯電話１の動作を説明するためのフローチャートである。このＥＰＧ表示処理は、ＣＰＵ１０が、ＲＯＭ２０に記憶されたＥＰＧ表示プログラム２０８を実行することによって実現される処理であり、携帯操作処理のステップＳ３１６で実行される。
【００８２】
まず、ＣＰＵ１０は、ＥＰＧデータがＥＰＧ格納領域３０４に記憶されているか否かを判定する（ステップＳ７００）。ここで、ＥＰＧデータが記憶されていない場合には（ステップＳ７００；Ｎｏ）、ＣＰＵ１０は、表示部６０に一定時間警告表示を行い（ステップＳ７０２）、ＥＰＧ表示処理を終了する。
【００８３】
これに対し、ＥＰＧデータがＥＰＧ格納領域３０４に記憶されている場合には（ステップＳ７００；Ｙｅｓ）、ＣＰＵ１０はＥＰＧデータに基づいてＥＰＧ画面を表示する（ステップＳ７０４）。ここで、ＥＰＧ画面とは、電子番組表が表示されている画面のことであり、例えば、電子番組表には番組の開始時間、終了時間、チャンネル、番組内容、出演者等の各種情報を表示している画面である。
【００８４】
次に、ＣＰＵ１０は、表示されている番組のうち、一つの番組にフォーカスを表示する（ステップＳ７０６）。そして、カーソルスイッチ５ｃが押下されると（ステップＳ７０８；Ｙｅｓ）、ＣＰＵ１０は、カーソルスイッチ５ｃに対応してフォーカス位置を移動する（ステップＳ７１０）。それから、ＣＰＵ１０は、決定スイッチ５ｅが押下されたか否かを判定する。
【００８５】
ここで、決定スイッチ５ｅが押下されなかった場合には（ステップＳ７１２；Ｎｏ）、ＣＰＵ１０は、クリアスイッチ５ｇが押下されたか否かを判定する（ステップＳ７２８）。クリアスイッチ５ｇが押下された場合には（ステップＳ７２８；Ｙｅｓ）、ＥＰＧ表示処理を終了する。他方、クリアスイッチ５ｇが押下されなかった場合には（ステップＳ７２８；Ｎｏ）、ＴＶフラグの値が「１」か否かを判定する（ステップＳ７３０）。ここで、ＴＶフラグの値が「１」である場合に、ＣＨ／キーワードデータ３０２に記憶されているチャンネル及びキーワードをクリアする操作が為されたときは、ＣＨ／キーワードデータ３０２に記憶されているＣＨ及びキーワードを消去し（ステップＳ７３４）、ＴＶフラグの値に「０」を記憶する（ステップＳ７３６）。そして、ＣＰＵ１０は、ステップＳ７０８に処理を戻し、繰り返し実行する。また、ステップＳ７３０において、ＴＶフラグの値が「１」で無いとき（ステップＳ７３２；Ｎｏ）又はＣＨ／キーワードデータ３０２に記憶されているチャンネル及びキーワードを消去する操作が為されなかったとき（ステップＳ７３４；Ｎｏ）には、同様にステップＳ７０８から繰り返し実行する。
【００８６】
他方、ステップＳ７１２において、決定スイッチ５ｅが押下された場合には、フォーカス位置に対応する番組のチャンネルをＣＨ／キーワードデータ３０２に記憶する（ステップＳ７１４）。次に、フォーカス位置にある番組情報内に、ユーザの所望するキーワードが含まれている場合には（ステップＳ７１６；Ｙｅｓ）、ＣＰＵ１０は、キーワード選択画面を表示し（ステップＳ７１８）、キーワードを選択させる（ステップＳ７２０）。そして、選択されたキーワードを、ＣＨ／キーワードデータ３０２に設定・記憶する（ステップＳ７２６）。これに対し、ユーザの所望するキーワードが含まれていない場合には（ステップＳ７１６；Ｎｏ）、ＣＰＵ１０は、キーワード入力画面を表示部６０に表示し（ステップＳ７２２）、キーワードを入力させる（ステップＳ７２４）。そして、入力されたキーワードをＣＨ／キーワードデータ３０２に記憶する（ステップＳ７２６）。
【００８７】
続いて、ＣＰＵ１０は、決定スイッチ５ｅが押下された場合には（ステップＳ７５０；Ｙｅｓ）、ＣＨ／キーワード情報に記憶されているチャンネルでＴＶ部５０の電源をＯＮにし（ステップＳ７５２）、ＴＶフラグの値に「１」を記憶する（ステップＳ７５４）。
【００８８】
これに対し、決定スイッチ５ｅが押下されずに（ステップＳ７５０；Ｎｏ）、クリアスイッチ５ｇが押下された場合には（ステップＳ７５６；Ｙｅｓ）、ＣＰＵ１０は、ＣＨ／キーワード情報に記憶されているチャンネル及びキーワードを消去する（ステップＳ７５８）。そして、ＣＰＵ１０は、ステップＳ７０４に処理を移行する。
【００８９】
［２．４  折り畳みスイッチＯＮ処理］
次に、折り畳みスイッチＯＮ処理について説明する。図１２（ａ）は、折り畳みスイッチＯＮ処理に係る携帯電話１の動作を説明するためのフローチャートである。この折り畳みスイッチＯＮ処理は、ＣＰＵ１０が、ＲＯＭ２０に記憶された折り畳みスイッチＯＮプログラム２１０を実行することによって実現される処理であるが、携帯電話１が折り畳まれると、突起部７７により折り畳みスイッチ７５が押圧され、割込処理として実行されるものである。
【００９０】
まず、ＣＰＵ１０は、ＴＶ部５０の電源がＯＮの状態である場合には（ステップＳ８００；Ｙｅｓ）、イヤホンが接続されているか否かを判定する（ステップＳ８０２）。ここで、イヤホンが接続されていないと判定した場合（ステップＳ８０２；Ｙｅｓ）、ＴＶ部５０における映像復号部５０ｃの電源をＯＦＦにして、映像復号部５０ｃの動作を停止する。また、イヤホンが接続されていると判定した場合（ステップＳ８０２；Ｎｏ）、ＴＶ部５０の電源をＯＦＦにして、動作を停止する（ステップＳ８０６）。
【００９１】
そして、ＣＰＵ１０は、表示部６０を消灯し（ステップＳ８０８）、折り畳みスイッチＯＮ処理を終了する。
【００９２】
［２．５  折り畳みスイッチＯＦＦ処理］
次に、折り畳みスイッチＯＦＦ処理について説明する。図１２（ｂ）は、折り畳みスイッチＯＦＦ処理に係る携帯電話１の動作を説明するためのフローチャートである。この折り畳みスイッチＯＦＦ処理は、ＣＰＵ１０が、ＲＯＭ２０に記憶された折り畳みスイッチＯＦＦプログラム２１２を実行することによって実現される処理であるが、携帯電話１が展開されることにより、突起部７７が折り畳みスイッチ７５から離隔されることにより、割込処理として実行されるものである。
【００９３】
まず、ＣＰＵ１０は、ＴＶ部５０の電源がＯＮの状態である場合には（ステップＳ８５０；Ｙｅｓ）、イヤホンが接続されているか否かを判定する（ステップＳ８０２）。ここで、イヤホンが接続されていないと判定した場合（ステップＳ８５２；Ｙｅｓ）、ＴＶ部５０における映像復号部５０ｃの電源をＯＮにして、映像復号部５０ｃの動作を開始させる（ステップＳ８５４）。また、イヤホンが接続されていると判定した場合（ステップＳ８５２；Ｎｏ）、ＴＶ部５０の電源をＯＦＦにし、停止させる（ステップＳ８５６）。
【００９４】
そして、ＣＰＵ１０は、表示部６０を点灯し（ステップＳ８５８）、折り畳みスイッチＯＦＦ処理を終了する。
【００９５】
［３．画面例］
次に、図１３を用いて携帯電話１の動作について説明する。図１３（ａ）は、機能設定画面が表示された表示画面Ｗ１００の一例を示した図である。図６のステップＳ３０２において、機能設定スイッチ５ａが押下されたときに、表示部６０に表示される画面である。フォーカスＥ１００により、項目「ＥＰＧ」が選択されている。
【００９６】
図１３（ｂ）は、「ＥＰＧ」が選択され、図１０のステップＳ７０４においてＥＰＧ画面が表示されたときの表示画面Ｗ１００の一例を示した図である。ここで、文字列「特許花子」がキーワードとして、選択されたことを示す反転表示Ｍ１００が施されている。この場合、ＣＨ／キーワードデータ３０２には、チャンネルとして「１ｃｈ」が、キーワードとして「特許花子」が記憶される。
【００９７】
図１３（ｃ）及び（ｄ）は、実際の動作状態の一例を示す図である。（ｃ）は、図７のステップＳ４０２における音楽再生処理が実行されて、イヤホンから音楽が再生されている状態を示した図である。（ｄ）は、キーワード「特許花子」が検知された場合における携帯電話１の動作状態を示した図である。図８のステップＳ５０６における報知音発生処理において、「キーワード特許花子が検出されました」と合成音声が出力される。また、ステップＳ５０８において、受信された映像信号が、ディスプレイ３に表示されている。
【００９８】
このように、本実施の形態によれば、テレビ機能以外の、他の機能を実行中であっても、設定されたキーワードをデータ放送に含むデジタルテレビ放送を受信すると、キーワードを合成音声にて出力することにより報知することができる。
【００９９】
［４．変形例］
上述した実施の形態では、デジタルＴＶ機能を内蔵した携帯電話を適用例として説明したが、本発明の電子機器は、携帯電話に限定されるものではなく、例えば、デジタルテレビ機能を内蔵したパソコン、カーナビゲーション、ＰＤＡ（Personal Digital Assistant）等の電子機器全般に適用可能である。
【０１００】
また、本実施形態において、音楽再生処理を実行中に、キーワードを含むデータ放送が受信された場合の処理について説明したが、音楽再生処理に限定される訳ではなく、例えばメール作成処理や、カメラ機能を実行中に報知を行うこととしても良いことは勿論である。
【０１０１】
具体例として、図１４を用いて、待ち受け処理（画面）中にキーワードを含むデータ放送を受信した場合について説明する。図７のステップＳ４００において音楽再生スイッチ５ｄがＯＮされなかった場合に、ＣＰＵ１０は、ＴＶフラグとして「１」が記憶されているか否かを判定する（ステップＳ９００）。ここで、ＴＶフラグが「１」の場合は（ステップＳ９００；Ｙｅｓ）、受信されたデータ放送の中に、記憶されているキーワードが含まれているか否かを検索する（ステップＳ９０２）。そして、合致するキーワードが含まれている場合には（ステップＳ９０４；Ｙｅｓ）、報知音発生処理を実行し（ステップＳ９０６）、ステップＳ１０２に処理を移行する。このような処理を実行することにより、待ち受け状態であっても、キーワードを含むデータ放送が受信されると、報知音を発生することが可能となる。
【図面の簡単な説明】
【０１０２】
【図１】デジタルテレビ機能を内蔵した携帯電話の概観図。
【図２】携帯電話の構成図。
【図３】ＣＨ／キーワード情報の一例を示した図。
【図４】携帯操作処理の動作フローを示した図。
【図５】携帯操作処理の動作フローを示した図。
【図６】携帯操作処理の動作フローを示した図。
【図７】携帯操作処理の動作フローを示した図。
【図８】携帯操作処理の動作フローを示した図。
【図９】報知音発生処理の動作フローを示した図。
【図１０】ＥＰＧ表示処理の動作フローを示した図。
【図１１】ＥＰＧ表示処理の動作フローを示した図。
【図１２】（ａ）折り畳みスイッチＯＮ処理、（ｂ）折り畳みスイッチＯＦＦ処理の動作フローを示した図。
【図１３】実施形態の動作を示した図。
【図１４】実施形態の変形例の動作フローを示した図。
【符号の説明】
【０１０３】
１  携帯電話
３  ディスプレイ
５  スイッチ群
５ａ  機能設定スイッチ
５ｂ  ＴＶスイッチ
５ｃ  カーソルスイッチ
５ｄ  音楽再生スイッチ
５ｅ  決定スイッチ
５ｆ  オフフックスイッチ
５ｇ  クリアスイッチ
５ｈ  オンフックスイッチ
１０  ＣＰＵ
２０  ＲＯＭ
２０２  音声データ
２０４  携帯操作プログラム
２０６  報知音発生プログラム
２０８  ＥＰＧ表示プログラム
２１０  折り畳みスイッチＯＮプログラム
２１２  折り畳みスイッチＯＦＦプログラム
３０  ＲＡＭ
３０２  ＣＨ／キーワードデータ
３０４  ＥＰＧ格納領域
３０６  データ放送格納領域
３０８  ＴＶフラグ
４０  ＲＦブロック
４５  携帯用アンテナ
５０  ＴＶ部
５０ａ  チューナー部
５０ｂ  ＯＦＤＭ復調部
５０ｃ  映像復号部
５０ｄ  音声復号部
５５  ＴＶ用アンテナ
６０  表示部
７０  入力部
７５  折り畳みスイッチ
７７  突起部
８０  電話用スピーカ
８５  電話用マイク
９０  イヤホンジャック
９５  接続検知部
９８  外部スピーカ
【図１】
2005175921.tif 000003
【図２】
2005175921.tif 000004
【図３】
2005175921.tif 000005
【図４】
2005175921.tif 000006
【図５】
2005175921.tif 000007
【図６】
2005175921.tif 000008
【図７】
2005175921.tif 000009
【図８】
2005175921.tif 000010
【図９】
2005175921.tif 000011
【図１０】
2005175921.tif 000012
【図１１】
2005175921.tif 000013
【図１２】
2005175921.tif 000014
【図１３】
2005175921.tif 000015
【図１４】
2005175921.tif 000016